(57)【要約】 【課題】  シェーカーで調製される飲料に、果汁、おろし物、果実小片等を加えて調整する際に、加工処理物を加工と当時に投入できる構造のシェーカーを提供する。【解決手段】  開口内周面に連結螺条１１を設けた容器体１と、開口内周面に連結螺条２１を設けた容器状の蓋体２と、筒状部材の上下中間外周に容器体１と蓋体２の開口端面１２，２２と対応するパッキン部３３を全周に突設すると共に、パッキン部３３形成箇所の上下外周面に前記容器体１及び蓋体２を螺合装着する連結部３４，３５を設け、内周面適宜位置に付属品装着の載置段部３６を設けた中間連結体３で構成してなる。【選択図】図２
2018029881.tif 000002
【特許請求の範囲】
【請求項１】
容器体と、前記下方容器に着脱自在で且つ密封装着される蓋体で構成されると共に、容器体の開口箇所の内周面適宜位置に付属品装着用の載置段部を設けてなることを特徴とするシェーカー。
【請求項２】
開口内周面に連結螺条を設けた容器体と、開口内周面に連結螺条を設けた容器状の蓋体と、筒状部材の上下中間外周に容器体と蓋体の開口端面と対応するパッキン部を全周に突設すると共に、パッキン部形成箇所の上下外周面に前記容器体及び蓋体を螺合装着する連結部を設け、内周面適宜位置に付属品装着用の載置段部を設けた中間連結体で構成したことを特徴とするシェーカー。
【請求項３】
容器体又は中間連結体の載置段部に載置装着して使用可能とした複数の付属品を積層収納してなる請求項１又は２記載のシェーカー。
【請求項４】
請求項１記載の容器体の載置段部又は請求項２記載の中間連結体の載置段部に、装着可能としたカッター受体と、前記カッター受体と組み合わせて使用されるカッター押体で構成されるシェーカー付属品であって、カッター受体が、底面に仕切辺で区切った多数の透窓を設けると共に、前記仕切辺の上縁を刃に形成してなり、カッター押体が前記カッター受体の底面に対応する押し面を備えてなることを特徴とするシェーカー付属品。
【請求項５】
カッター受体の底面を下方膨出球状面に形成すると共に、透窓を蜂の巣形状に形成し、カッター押体の底面に、透窓形状及び前記下方膨出球状面に対応した棒状突出部を設けて押し面とし、カッター受体及びカッター押体の各周面に位置決め部を設けてなる請求項４記載のシェーカー付属品。
【発明の詳細な説明】
【技術分野】
【０００１】
本発明は、特に撹拌以外の機能を備えた付属品と組み合わせて使用することを目的としたシェーカーに関するものである。
【背景技術】
【０００２】
一般的なシェーカーは容器本体に蓋体を装着している。特に特許文献１には、筒状のくびれ本体の上下に容器状蓋体を装着している器具が開示されている。
【０００３】
また果実などの分割切断器具としては、放射状の刃体に載置した果実を押圧して分割切断する器具が知られている（特許文献２）。
【先行技術文献】
【特許文献】
【０００４】
【特許文献１】特開２０１４−４５９８６号公報。
【特許文献２】特開２００３−１５８８号公報。
【発明の概要】
【発明が解決しようとする課題】
【０００５】
飲料の調製に際して、従前の器具は容器本体に撹拌混合対象物（液）を所定量注ぎ入れて混合操作を行うもので、例えば果汁を使用する場合は、果実を別の器具で絞って調製した果汁を入れていた。また果実小片を使用する場合にも、俎板とナイフを使用し或いは他の切断器具を使用して小片に調製したものを使用している。
【０００６】
そこで本発明は、直接果汁や果実小片等を調製と同時にシェーカー自体に投入される新規なシェーカーを提案したものである。
【課題を解決するための手段】
【０００７】
本発明の請求項１記載に係るシェーカーは、容器体と、前記下方容器に着脱自在で且つ密封装着される蓋体で構成されると共に、容器体の開口箇所の内周面適宜位置に付属品装着用の載置段部を設けてなることを特徴とするものである。
【０００８】
本発明の請求項２記載に係るシェーカーは、開口内周面に連結螺条を設けた容器体と、開口内周面に連結螺条を設けた容器状の蓋体と、筒状部材の上下中間外周に容器体と蓋体の開口端面と対応するパッキン部を全周に突設すると共に、パッキン部形成箇所の上下外周面に前記容器体及び蓋体を螺合装着する連結部を設け、内周面適宜位置に付属品装着の載置段部を設けた中間連結体で構成したことを特徴とするものである。
【０００９】
また同請求項３記載に係るシェーカーは、容器体又は中間連結体の段部に載置して使用可能とした複数の付属品を積層収納してなるものである。
【００１０】
而して容器体と蓋体或いは容器体と蓋体と中間連結体を組み合わせで密封容器が形成されるので、所望の材料（撹拌混合対象物）を注ぎ入れて、手動によるシェイクがなされるもので、特に所定の付属品例えば果汁絞り器、おろし器等を備えている場合は、容器体の開口個所の載置段部又は容器体が装着されている中間連結体の内部の載置段部に当該付属品を装着し、果汁絞りや薬味おろし等を行うことで、加工物が容器体に落下若しくは滴下するので、当該付属品を外し適宜な主材（飲料）を加え、蓋体を装着してシェイクすることで、所定の混合飲料を得ることができる。
【００１１】
また本発明の請求項４記載のシェーカー付属品は、上記のシェーカーの容器体の載置段部又は中間連結体の載置段部に装着可能としたカッター受体と、前記カッター受体と組み合わせて使用されるカッター押体で構成されるシェーカー付属品であって、カッター受体が、底面に仕切辺で区切った多数の透窓を設けると共に、前記仕切辺の上縁を刃に形成してなり、カッター押体が前記カッター受体の底面に対応する押し面を備えてなることを特徴とするものである。
【００１２】
従ってカッター受体をシェーカーの載置段部に装着し、所望の果実をカッター受体内に入れ、カッター押体で押圧すると、果実が小片に切断されて容器体内に落下し、そのままシェーカーを飲料調製に使用することができる。
【００１３】
また本発明の請求項５記載のシェーカー付属品は、特に前記のカッター受体及びカッター押体において、カッター受体の底面を下方膨出球状面に形成すると共に、透窓を蜂の巣形状に形成し、カッター押体の底面に、透窓形状及び前記下方膨出球状面に対応した棒状突出部を設けて押し面とし、カッター受体及びカッター押体の各周面に位置決め部を設けてなるもので、押し面となる棒状突出部が透窓内に侵入し、果実の小片が透窓内に引っ掛かって残ることがない。
【発明の効果】
【００１４】
本発明の構成は上記のとおりで、飲料調製に使用する材料を加工する種々の付属品と組み合わせて使用することができ、当該付属品で加工した材料をそのままの状態で飲料調製（シェイク）を行うことができるものである。
【図面の簡単な説明】
【００１５】
【図１】本発明の実施形態の外観図。
【図２】同構成部材を示す分離状態の斜視図。
【図３】同付属品の収納状態の断面図。
【図４】同カッター受体の斜視図で（イ）は上方斜視（ロ）は下方斜視（ハ）は切断面図である。
【図５】同カッター押体の斜視図で（イ）は上方斜視（ロ）は下方斜視である。
【図６】同使用上状態の説明図（果実切断）。
【図７】同図（飲料調製）。
【発明を実施するための形態】
【００１６】
次に本発明の実施形態について説明する。実施形態に示したシェーカーは、容器体１，蓋体２，中間連結体３で構成され、全体を手で保持してシェイク作業（飲料調製）が可能な細長密封容器体となる大きさに形成したもので、その付属品としてカッター受体４、カッター押体５、おろし器６、果汁絞り器７を備えてなる。
【００１７】
容器体１は縦長容器形状で開口内周面に連結螺条１１を設けたものであり、蓋体２も同様に細長容器形状で開口内正面に連結螺条２１を設けたものである。
【００１８】
中間連結体３は、筒状部材で前記容器体１及び蓋体２の各開口内周面と対応するもので、上下中間外周面の全周に鍔部３１を設けると共に、前記鍔部３１に容器体１と蓋体２の開口端面１２，２２と対応するパッキン３２を装着してパッキン部３３を形成するものである。また前記パッキン部３３の上下外周面には、連結螺条１１，２１と対応する連結部３４，３５を設け、内周面適宜位置に付属品装着の載置段部３６を設けると共に、前記載置段部３６に位置決め凹部（図示例は切欠凹部）３７を設けてなる。
【００１９】
付属品のカッター受体４は、周壁４１と底面４２を備えた容器形状で、底面４２を下方膨出球状面に形成すると共に、蜂の巣形状（勿論他の形状でも任意である）に仕切辺４３で区切った多数の透窓４４を設け、且つ前記仕切辺４３の上縁を刃に形成する。
【００２０】
更に周壁４１の底縁４５には、前記載置段部３６に載置される段部４６と位置決め凹部３７に対応する突部４７を設け、周壁４１の上縁内周面には、取出し用及び位置決め用兼用の突出取手部４８と、積層収納に際して他の付属品（おろし器６）の位置決め突部６４が納まる凹部４９を設けてなる。
【００２１】
カッター押体５は、前記カッター受体４と組み合わせて使用されるもので、カッター受体４の周壁４１及び底面４２の内面と対応する椀状部５１と、椀状部５１から下方に透窓４４の形状と一致する形状で突設した棒状突出部（押し面）５２と、椀状部５１の中央上方に突施した把持部５３を備えてなり、特に椀状部５１の周壁部分には突出取手部４８と対応する位置決め凹部５４を設けたものである。
【００２２】
おろし器６は、周壁部６１と、周壁部６１で囲繞された中央箇所におろし突起を多数突設して形成したおろし面部６２とを備え、周壁部６１の底縁６３には、位置決め凹部（図示例は切欠凹部）３７、４９に対応する位置決め突部６４を設ける共に、周壁上縁に他の付属品（果汁絞り器）７の位置決め突部７４が納まる凹部６５を設けてなる。更に周壁部６１とおろし面部６２との境界部分に、おろし落下孔６６を設けたものである。
【００２３】
果汁絞り器７は、周壁部７１と、周壁部７１で囲繞された中央箇所に多数の峰部を備えた絞り突部７２とを備え、周壁部７１の底縁７３には、位置決め凹部（図示例は切欠凹部）３７、４９、６５に対応する位置決め突部７４を設け、更に周壁部７１と絞り突部７２との境界部分に、果汁滴下孔７５を設けたものである。
【００２４】
而して前記器具は、中間連結体３の連結部３４，３５に容器体１と蓋体２との各連結螺条１１，２１を螺合装着することで、パッキン部３３を容器体１と蓋体２の開口端面１２，２２とで挟圧することになり、密封容器が形成されるので、通常のシェーカーとして使用できるものである。
【００２５】
本発明は特に付属品との組み合わせ使用に特徴があるもので、果実小片Ｂを含む混合飲料Ｃを調製する場合にはカッター受体４とカッター押体５を使用する。容器体１に中間連結体３を装着し、カッター受体４の段部４６を中間連結体３の載置段部３６に載置すると共に、突部４７を位置決め凹部３７に嵌合してカッター受体４を中間連結体３に装着する。
【００２６】
次に対象果実Ａをカッター受体４の底面４２上に置き、カッター受体４の上方からカッター押体５で果実Ａを押圧するもので、前記の押圧に際してカッター押体５の位置決め凹部５４をカッター受体４の突出取手部４８と一致させると、透窓４４と棒状突出部５２の上下位置関係が一致し、そのままカッター押体５を下圧すると、果実Ａは仕切り辺４３の上縁刃によって切断され、透窓４４が小片Ｂとなって容器体１内に押しだされる。
【００２７】
果実Ａの切断を終えると、カッター受体４及びカッター押体５を中間連結体３から取り外し、更に必要に応じて他の付属品（おろし器６、果汁絞り器７）を使用し、又は使用せずに、飲料主材を容器体１に注ぎ入れ、蓋体２を装着して撹拌動作（シェイク）を行うことで、果実小片Ｂが含まれた飲料Ｃを得ることができる。
【００２８】
おろし器６及び果汁絞り器７もカッター受体４と同様に、各付属品の底縁６３，７３を載置段部３６に載置し且つ位置決め突部６４，７４を位置決め凹部３７に嵌合して装着し、おろし面部６２や絞り突部７２を使用して、果実などのおろし又は絞りを行い、おろし液や果汁をおろし落下孔６６や果汁滴下孔７５から容器体１に落下・滴下し、撹拌飲料の材料とするものである。
【００２９】
またカッター受体４とおろし器６の各周壁４１及び周壁部６１の上縁に所定の凹部４９，６５を設け、カッター押体５を納めたカッター受体４上に、おろし器６を凹部４９と位置決め突部６４を嵌合して積層し、更におろし器６上に果汁絞り器７の位置決め突部７４を凹部６５に嵌合して積層し、前記付属品の積層状態のまま中間連結体に載置した際に蓋体２を被冠装着できる大きさとしておくと、図３に示すように、中間連結体３に容器体１と蓋体２を装着した状態で、前付属品を内部に収納できるものである。
【００３０】
尚本発明は前記実施形態で示した中間連結体３を備えずに、容器体１の開口個所に中間連結体３の機能（付属品の装着）を備える載置段部を直接形成するようにしても良い。
【符号の説明】
【００３１】
１      容器体
１１    連結螺条
１２    開口端面
２      蓋体
２１    連結螺条
２２    開口端面
３      中間連結体
３１    鍔部
３２    パッキン
３３    パッキン部
３４，３５    連結部
３６    載置段部
３７    位置決め凹部
４      カッター受体
４１    周壁
４２    底面
４３    仕切辺
４４    透窓
４５    底縁
４６    段部
４７    突部
４８    突出取手部
４９    凹部
５      カッター押体
５１    椀状部
５２    棒状突出部（押し面）
５３    把持部
５４    位置決め凹部
６      おろし器
６１    周壁部
６２    おろし面部
６３    底縁
６４    位置決め突部
６５    凹部
６６    おろし落下孔
７      果汁絞り器
７１    周壁部
７２    絞り突部
７３    底縁
７４    位置決め突部
７５    果汁滴下孔
【図１】
2018029881.tif 000003
【図２】
2018029881.tif 000004
【図３】
2018029881.tif 000005
【図４】
2018029881.tif 000006
【図５】
2018029881.tif 000007
【図６】
2018029881.tif 000008
【図７】
2018029881.tif 000009